(57)【特許請求の範囲】
【請求項１】
縦ｎ列と横ｎ列の列毎にｎ個の異なる種類のモチーフを整列させて組み合わせを完成させるパズルであって、
前記モチーフが表示された複数のパズル構成片と、
前記複数のパズル構成片の全てを縦ｎ列と横ｎ列に配置自在に収納する基盤と、を備え、
前記ｎは４乃至６の整数であり、
前記複数のパズル構成片は、１個のモチーフを表示した正方形状のパズル構成片と２個以上のモチーフを一列に表示した長方形状のパズル構成片とを混在させて構成されてなると共に、少なくとも、１個のモチーフを表示したパズル構成片と２個のモチーフを表示したパズル構成片と３個のモチーフを表示したパズル構成片とを夫々２以上含んで構成されてなり、
前記複数のパズル構成片の全てを使用して縦ｎ列と横ｎ列の列毎にｎ個の異なる種類のモチーフを整列させるように前記基板に配置させて組み合わせを完成させてなる
ことを特徴とするパズルおもちゃ。
【請求項２】
前記各モチーフは、触覚にて識別可能となるように、立体的に形成されてなることを特徴とする請求項１記載のパズルおもちゃ。
【請求項３】
前記各パズル構成片は、前記各パズル構成片に表示された前記モチーフが触覚にて識別可能となるように、異なるモチーフの種類毎に異なる数の識別突部を設けたことを特徴とする請求項１又は２記載のパズルおもちゃ。
【発明の詳細な説明】
【技術分野】
【０００１】
本発明は、パズルおもちゃ、詳しくは縦列と横列とにそれぞれ異なるモチーフを整列させて組み合わせを完成させるパズルおもちゃに関する。
【背景技術】
【０００２】
一般に、縦列と横列とに構成片を整列させて組み合わせを完成させるパズルとして、例えば、実開平５−４８９９１号に記載されているパズルおもちゃが存在する（特許文献１参照）。
【特許文献１】実開平５−４８９９１号公報（第１頁、図１）。
【０００３】
図１６は前記した従来のパズルおもちゃを示す斜視図である。該パズルおもちゃは、同一矩形のパズル構成片２００を複数そなえ、それらパズル構成片２００を基盤１１０内に平面的に並べて配置可能となし、各パズル構成片２００の表面及び裏面にそれぞれ部分絵２１０を描き、パズル構成片２００を枠体１１０内に所定の配置で並べて嵌合したときに各パズル構成片２００の部分絵が集合して統一した絵２１０が完成されるように構成されている。
【発明の開示】
【発明が解決しようとする課題】
【０００４】
しかしながら、前記のパズルおもちゃは、統一した絵を完成させるものであり、併せて、パズル構成片２００も同一矩形からなるため、組み合わせの完成が比較的容易であり、低年齢層には向くものの、成人には興趣性に欠けるものであった。
【０００５】
本発明は、かかる事情に鑑みてなされたものであり、縦列と横列とにそれぞれ異なるモチーフを整列させて組み合わせを完成させるパズルおもちゃにおいて、成人であっても興趣性のあるパズルおもちゃを提供する点にある。
【０００６】
また、本発明の他の目的は、視覚に障害のある人であっても、特に労することなく、晴眼者と同様に楽しめるパズルおもちゃを提供することにある。
【課題を解決するための手段】
【０００７】
請求項１に記載のパズルおもちゃは、  縦ｎ列と横ｎ列の列毎にｎ個の異なる種類のモチーフを整列させて組み合わせを完成させるパズルであって、前記モチーフが表示された複数のパズル構成片と、前記複数のパズル構成片の全てを縦ｎ列と横ｎ列に配置自在に収納する基盤と、を備え、前記ｎは４乃至６の整数であり、前記複数のパズル構成片は、１個のモチーフを表示した正方形状のパズル構成片と２個以上のモチーフを一列に表示した長方形状のパズル構成片とを混在させて構成されてなると共に、少なくとも、１個のモチーフを表示したパズル構成片と２個のモチーフを表示したパズル構成片と３個のモチーフを表示したパズル構成片とを夫々２以上含んで構成されてなり、前記複数のパズル構成片の全てを使用して縦ｎ列と横ｎ列の列毎にｎ個の異なる種類のモチーフを整列させるように前記基板に配置させて組み合わせを完成させてなることを特徴とする。
【０００８】
請求項１に記載の発明にあっては、１個のモチーフが表示されたパズル構成片と２個以上のモチーフが表示されたパズル構成片とが混在し、複数種類のパズル構成片を有するため、通常の絵合わせのパズルおもちゃよりも、完成が困難となり、成人にとっても興趣性のあるパズルおもちゃとなる。
【０００９】
請求項２に記載のパズルおもちゃは、請求項１記載のパズルおもちゃにおいて、前記各モチーフは、指等の触覚にて識別可能となるように、立体的に形成されてなることを特徴とする。
【００１０】
請求項２に記載の発明にあっては、視覚障害者であっても、指等の触覚により、並べるべきモチーフが識別可能となる。
【００１１】
請求項３に記載のパズルおもちゃは、請求項１又は２記載のパズルおもちゃにおいて、前記各パズル構成片は、前記各パズル構成片に表示された前記モチーフが触覚にて識別可能となるように、異なるモチーフの種類毎に異なる数の識別突部を設けたことを特徴とする。
【００１２】
請求項３に記載の発明にあっては、視覚障害者であっても、指等の触覚により、並べるべきモチーフが、モチーフが複雑な構造をしており、又は、一のモチーフと他のモチーフの識別が難しい場合であっても、識別突部を設けているため、指等の触覚により、並べるべきモチーフの識別を容易に行うことができる。
【００１３】
削除
【００１４】
削除
【００１５】
削除
【００１６】
削除
【発明の効果】
【００１７】
請求項１に記載のパズルおもちゃは、通常の絵合わせのパズルおもちゃよりも、完成が困難であるため、成人にとっても興趣性のあるパズルおもちゃとなる。
【００１８】
請求項２に記載のパズルおもちゃは、請求項１記載のパズルおもちゃにおいて、前記各モチーフは、指等の触覚にて識別可能となるように、立体的に形成されているので、視覚障害者であっても、遊技を行うことができる。
【００１９】
請求項３に記載のパズルおもちゃは、請求項１又は２記載のパズルおもちゃにおいて、前記各パズル構成片に表示された前記モチーフは、指等の触覚にて一の種類のモチーフと他の種類のモチーフとを識別できるように、異なる種類のモチーフ毎に異なる識別突部を設けているため、視覚障害者であっても、容易に遊技を行うことができる。
【００２０】
削除
【００２１】
削除
【発明を実施するための最良の形態】
【００２２】
以下、本発明に係る実施の形態を図面に基づいて説明する。図１は、本発明に係るパズルおもちゃの斜視図であり、図２は本発明に係るパズルおもちゃの各パズル構成片の正面図である。図２において、（a）はモチーフが一列に３連表示されたパズル構成片、(ｂ)はモチーフが一列に２連表示されたパズル構成片、（c）はモチーフが一列に１個表示されたパズル構成片を示す正面図である。
【００２３】
図１において、１０は合成樹脂製の函体からなるパズル収納箱であり、複数のパズル構成片２０を収納する基盤１１と蓋体１２とを有する。前記基盤１１内は、縦列Ａ（列Ａ１〜列Ａ５）にモチーフが５列整列でき、また横列Ｂ（列Ｂ１〜列Ｂ５）にモチーフ２１が５列整列できるように形成されている。前記モチーフ２１は、パズル構成片２０の表面に表示されている。
【００２４】
前記パズル構成片２０（２０a〜２０k）は、透明な合成樹脂によって直方体状に形成されており、その表面には、異なるモチーフ２１が突設されており、図２（a)に示すように、モチーフ２１が３連に表示されているパズル構成片２０（２０a〜２０e）と、図２（b）に示すように、モチーフ２１が２連に表示されているパズル構成片２０（２０f〜２０i）と、図２（c）に示すように、モチーフ２１が１個のみ表示されているパズル構成片２０（２０jおよび２０k）と、合計１１個のパズル構成片２０でパズルが完成するよう分割されている。
【００２５】
前記モチーフ２１は、天使をイメージしたモチーフ２１a、月をイメージしたモチーフ２１b、十字架をイメージしたモチーフ２１c、ダビデをイメージしたモチーフ２１d、ハートをイメージしたモチーフ２１eの５種類を使用しているが、これに限定されるものではなく、適宜の図形、記号を使用するとよい。
【００２６】
そして、本発明に係るパズルおもちゃにおいては、前記パズル構成片２０への各モチーフ２１の配列によって、また、前記パズル構成片２０に前記モチーフ２１を幾つ表示するかによって、パズル構成片２０の組み合わせの完成難易度は変化する。本実施例の表示の組み合わせでは、正解パターンは１のみであり、難易度としては、比較的高度に設定している。
【００２７】
以上のように、本実施例のパズルおもちゃは、縦列Ａが５列であり、横列Ｂが５列であり、各列に整列させるモチーフの種類の数は５種類である。すなわち、このパズルおもちゃでは、縦の列数と、横の列数と、整列させるモチーフの種類の数とが同数となる。従って、モチーフの種類が４個の場合は、縦４列、横４列であり、モチーフの種類が６個の場合は、縦６列、横６列に構成する。なお、モチーフの種類を３個以下とすると、パズルの完成が非常に容易となり、また、モチーフの種類を７個以上とすると、パズルの完成が非常に困難となるため、本発明のパズルおもちゃでは、モチーフの種類（従って、縦列および横列の列数）が４乃至６であるのが適当である。
【００２８】
なお、本実施例のパズルおもちゃでは、前記パズル構成片２０を１１個に分割したが、これに限定されることはなく、適宜所望の個数に分割するとよい。
【００２９】
図３はパズル構成片２０d、２０gおよび２０kの斜視図であり、図４（a）はパズル構成片２０dのX−X断面図であり、（b）はパズル構成片２０dのY−Y断面図である。図中、２２は正方形の枠体であり、前記モチーフを囲むように突設形成する。該枠体２２の四隅はコーナー２３で切られており、そのスペースには識別突部２４を突出させて形成する。図２（a）〜（c）に示すように、該識別突部２４は、前記モチーフ２１aには右上に１個、前記モチーフ２１bには対角上に２個、前記モチーフ２１cには３個、前記モチーフ２１dには全てのコーナーに４個、前記モチーフ２１eには０個形成して、前記モチーフ２１a〜２１eの種類毎に、その数を異ならしめて設けており、視覚障害者でも容易にモチーフ２１a〜２１eの区別化を行うことができる。
【００３０】
図５は、前記パズル構成片２０gの裏面側を示す斜視図である。図中、２５は識別子であり、「Burnaby」と英文字を突設している。該識別子２５は、複数のパズル構成片２０のうち、一のみに設けている。したがって、パズルが完成した場合において、この特定のパズル構成片２０が、パズル全体（基盤上）のどの位置に配置されているかによって、正解か否かの判断が可能となる。これは、例えば、ウェブ上において、正解を送信する場合等に簡単な判定手段として、利用できる。
【００３１】
なお、図６は正面図、図７は背面図、図８は底面図、図９は右側面図、図１０は左側面図、図１１はＡ−Ａ断面図、図１２はＢ−Ｂ断面図、図１３はC−C断面図、図１４は開蓋状態を示す正面図、図１５は開蓋状態を示す底面図である。なお、平面図は底面図と同一に現れる。
【００３２】
以上のパズルおもちゃを使用して遊技する場合は、先ず、前記基盤１１内にランダムに収納した複数のパズル構成片２０を取り出して、縦列Ａと横列Ｂとに、それぞれ異なるモチーフ２１a〜２１eが整列するように、パズル構成片２０a〜２０kを配列させてパズルを完成させるのである。このとき、３個のモチーフが表示されたパズル構成片２０a〜２０eと２個のモチーフが表示されたパズル構成片２０f〜２０iと１個のモチーフが表示されたパズル構成片２０j、２０kとが混在し、３種類のパズル構成片を複数個有するため、通常の絵合わせのパズルおもちゃよりも完成が困難であり、興趣性が高いものとなり、成人であっても楽しめる。
【００３３】
なお、本実施例では、前記パズル構成片２０a〜２０iは、前記モチーフ２１a、２１b、２１c、２１eの向きから、天地（上下方向）を揃えて、パズル構成片２０a〜２０kを配列させてもよく、また、天地無用に配列させても良い。この場合のルールは任意に定めることができ、パズル構成片２０a〜２０kの天地（上下方向）を揃える場合は、天地無用に配列できる場合よりも、パズルの完成が容易となる。
【図面の簡単な説明】
【００３４】
【図１】本発明に係るパズルおもちゃの斜視図である。
【図２】本発明に係るパズルおもちゃの各パズル構成片の正面図である。
【図３】パズル構成片２０d、２０gおよび２０kの斜視図である。
【図４】（a）はパズル構成片２０dのX−X断面図であり、（b）はパズル構成片２０dのY−Y断面図である。
【図５】パズル構成片２０gの裏面側を示す斜視図である。
【図６】正面図である。
【図７】背面図である。
【図８】底面図である。
【図９】右側面図である。
【図１０】左側面図である。
【図１１】Ａ−Ａ断面図である。
【図１２】Ｂ−Ｂ断面図である。
【図１３】C−C断面図である。
【図１４】開蓋状態を示す正面図である。
【図１５】開蓋状態を示す底面図である。
【図１６】従来のパズルおもちゃ（特許文献１）を示す斜視図である。
【符号の説明】
【００３５】
１０ パズル収納箱
１１ 基盤
２０ パズル構成片
２１ モチーフ
Ａ 縦列
Ｂ 横列
【図１】
0004669233.tif 000002
【図２】
0004669233.tif 000003
【図３】
0004669233.tif 000004
【図４】
0004669233.tif 000005
【図５】
0004669233.tif 000006
【図６】
0004669233.tif 000007
【図７】
0004669233.tif 000008
【図８】
0004669233.tif 000009
【図９】
0004669233.tif 000010
【図１０】
0004669233.tif 000011
【図１１】
0004669233.tif 000012
【図１２】
0004669233.tif 000013
【図１３】
0004669233.tif 000014
【図１４】
0004669233.tif 000015
【図１５】
0004669233.tif 000016
【図１６】
0004669233.tif 000017